(57)【要約】【課題】クレーンゲーム機の遊戯性を高め、ゲームセンター等の娯楽施設の負担も低減できる把持アームを提供する。【解決手段】クレーンゲーム機のキャッチャーに備えられる把持アームを、把持アーム上部と把持アーム下部の少なくとも２部品にて構成し、これらの相互角度を調整自在に連結した構造とした。また、前記相互角度はあらかじめ設定された少なくとも２つ以上の角度のうち１つの角度に固定可能に構成してもよい。前記相互角度を２つ以上の角度のうち１つの角度に固定可能とする場合は、角度固定穴にピン状態を挿入する、非円形穴と非円形突起を嵌合する、歯車状体と突起部をかみ合わせる、当接面の突起部（凹凸状構造）をかみ合わせるなどの方法を使用できる。【選択図】図１
2006223406.tif 000002
【特許請求の範囲】
【請求項１】
クレーンゲーム機のキャッチャーに備えられる把持アームにおいて、把持アーム本体が、把持アーム上部及び把持アーム下部の少なくとも２部品からなり、前記把持アーム上部は、キャッチャー本体への接続方法を備え、前記把持アーム上部と前記把持アーム下部は、これらが互いになす角度を変更し得る状態で接続されていることを特徴とする、クレーンゲーム機のキャッチャーに備えられる把持アーム。
【請求項２】
前記把持アーム上部と把持アーム下部は、あらかじめ定められた少なくとも２つ以上の角度のうち任意の１つの角度に固定可能であることを特徴とする、請求項１記載のクレーンゲーム機のキャッチャーに備えられる把持アーム。
【請求項３】
前記把持アーム上部と前記把持アーム下部は枢軸により回転可能に固定され、前記把持アーム上部と前記把持アーム下部の前記枢軸の中心からの距離が一定である位置に角度固定穴が設けられ、前記角度固定穴にピン状体を挿入することで、前記把持アーム上部と前記把持アーム下部のなす角度を、少なくとも２つ以上の角度のうち任意の１つの角度に固定し得ることを特徴とする、請求項２記載のクレーンゲーム機のキャッチャーに備えられる把持アーム。
【請求項４】
前記把持アーム上部と前記把持アーム下部の一方に非円形穴が設けられ、他方に非円形突起が設けられて、前記非円形穴と前記非円形突起が嵌合することで、前記把持アーム上部と前記把持アーム下部のなす角度を、少なくとも２つ以上の角度のうち任意の１つの角度に固定し得ることを特徴とする、請求項２記載のクレーンゲーム機のキャッチャーに備えられる把持アーム。
【請求項５】
前記把持アーム上部と前記把持アーム下部の一方の外縁部に沿って歯車状突起部が設けられ、他方に突起部が設けられて、前記歯車状突起部の歯のいずれかと前記突起部がかみ合うことで、前記把持アーム上部と前記把持アーム下部のなす角度を、少なくとも２つ以上の角度のうち任意の１つの角度に固定し得ることを特徴する、請求項２記載のクレーンゲーム機のキャッチャーに備えられる把持アーム。
【請求項６】
前記把持アーム上部と前記把持アーム下部は枢軸により回転可能に固定され、前記把持アーム上部と前記把持アーム下部の当接面に前記枢軸の中心より放射状に凹凸構造が設けられ、前記把持アーム上部の前記凹凸構造と前記把持アーム下部の前期凹凸構造がかみ合うことで、前記把持アーム上部と前記把持アーム下部のなす角度を、少なくとも２つ以上の角度のうち任意の１つの角度に固定し得ることを特徴する、請求項２記載のクレーンゲーム機のキャッチャーに備えられる把持アーム。
【発明の詳細な説明】
【技術分野】
【０００１】
本発明は、クレーンゲーム機のキャッチャーに備えられ、景品載置台に載置された玩具や菓子等の景品を掴み取る把持アームに関する。
【背景技術】
【０００２】
クレーンゲーム機は、透明樹脂等で囲まれた筐体内のプレイフィールド内の景品載置台にプレイヤーから見えるように積まれた玩具や菓子等の景品を、プレイヤーが操作できるキャッチャーに備えられる把持アームにより掴み取って、景品取り出し口へ投下するように構成されており、ゲームセンターなどの娯楽施設において広く楽しまれている。
【０００３】
クレーンゲーム機におけるキャッチャーは、景品を把持する一対の把持アームを備える。把持アームは、キャッチャーへの取り付け部を始点とした円弧状や折れ線状等の様々な形状に製作される。この形状の理由は第１にキャッチャー自体の大きさよりも大型の景品を掴み得るようにするため、キャッチャー取り付け部よりも一旦は外部に広がる必要がある為であり、第２に、比較的小型の景品を把持する為には、対となる把持アームの先端部が近接している必要があるからである。
【０００４】
つまり、把持アームの形状は外観上の理由もあり様々に製作されるが、機能上の要請からおおむね前記のように、キャッチャーから外部へ広がるように構成される把持アーム上部とキャッチャーに備えられる把持アーム先端同士を近づける把持アーム下部とからなる構造とされるのである。
【０００５】
把持アーム先端には、景品載置台に設置された景品の底部と景品載置台との隙間に差し込み、当該景品を把持しやすくする為、把持アームとは別部材による把持爪が設けられる場合もある。把持爪が設けられない場合は、把持アーム先端部分が薄板状に加工されることが多い。把持爪を設ける場合にしても、把持アーム先端部分を薄板状に加工するにしても、その目的は同一であり、以下、特に断らない限りこれら部分を含めて把持アームという。
【０００６】
さて、把持アームの形状は、景品の把持性能を大きく左右するものであり、プレイヤーも把持アームの形状を観察して景品獲得可能性を予想する。つまり、把持アームの形状がクレーンゲーム機の集客力を左右する重要な要素となっている。
【０００７】
それゆえ、従来より把持アームの形状にはさまざまな工夫がなされている。例えば、特開平８−２１５４１９公報には把持アーム先端角度が急角度、つまり鉛直方向に近く設定された把持アームが開示されている。本把持アームによれば、高さのある景品であっても把持可能であり、比較的大型の景品の把持に適していると考えられる。しかし、対になる把持アーム先端が離れがちである為、小型景品の把持には適さないと考えられる。小型景品への対応として、把持アーム先端に適切な把持爪を取り付けることも不可能ではないが、広い把持アーム先端間隔を埋める為には大型の把持爪が必要となり、景品載置台上に存在する多くの小型景品の中から目的の景品に狙いを定めにくくなる等の弊害を生じる。
【０００８】
一方、特開２００３−１３５８４３公報には、把持アーム先端角度が緩角度、つまり、水平に近く設定された把持アームが開示されている。本把持アームでは、高さのある景品の把持は困難であり、大型景品の把持には向かない。
【０００９】
以上の通り、景品の種類や大きさ、あるいはゲームセンター等の娯楽施設の方針により、最適な把持アームの形状は異なるのであるが、把持アームを何種類も準備することは、ゲームセンター等の娯楽施設にとって不経済である。
【００１０】
また、通常把持アームはキャッチャーの内側にてキャッチャーに取り付けられる為、把持アームの交換は手間のかかる作業である。この点でも、把持アームの交換はゲームセンター等の娯楽施設にとって好ましくない。
【００１１】
【特許文献１】特開平８−２１５４１９号公報
【特許文献２】特開２００３−１３５８４３号公報
【発明の開示】
【発明が解決しようとする課題】
【００１２】
本発明は、上記のような課題を解決するためになされたものであり、把持アームの角度を、クレーンゲーム機に把持アームを取り付けた状態のままで容易に変更可能とし、ゲームセンター等の娯楽施設においてクレーンゲーム機のプレイフィールド内の景品載置台に載置された景品の大きさや形に応じて把持アームの角度を任意に設定できる把持アームを提供することを課題とする。
【００１３】
また、本発明は、把持アームの角度をあらかじめ定められた少なくとも２以上の角度のいずれかに設定可能な把持アームを提供し、把持アームの角度を変更する際には、キャッチャーに備えられる２本以上の把持アームを容易に同じ角度に設定可能とすることをも課題としている。
【００１４】
以上のように、本発明は、把持アームの角度を容易に調整可能とし、景品の種類やゲームセンター等の娯楽施設の方針によるきめ細かな調整を実施可能とし、もって、クレーンゲーム機の集客力を高めることを目的としている。
【課題を解決するための手段】
【００１５】
上記の目的を達成するため、本発明の第１の課題解決手段においては、クレーンゲーム機のキャッチャーに備えられる把持アームにおいて、把持アーム本体が、把持アーム上部及び把持アーム下部の少なくとも２部品からなり、前記把持アーム上部は、キャッチャー本体への接続方法を備え、前記把持アーム上部と前記把持アーム下部は、これらが互いになす角度を変更し得る状態で接続されていることを特徴としている。
【００１６】
本発明の第２の課題解決手段においては、本発明の第１の課題解決手段において、前記把持アーム上部と把持アーム下部は、あらかじめ定められた少なくとも２つ以上の角度のうち任意の１つの角度に固定可能であることを特徴としている。
【００１７】
本発明の第３の課題解決手段においては、本発明の第２の課題解決手段において前記把持アーム上部と前記把持アーム下部は枢軸により回転可能に固定され、前記把持アーム上部と前記把持アーム下部の前記枢軸中心からの距離が一定である位置に角度固定穴が設けられ、前記角度固定穴にピン状体を挿入することで、前記把持アーム上部と前記把持アーム下部のなす角度を、少なくとも２つ以上の角度のうち任意の１つの角度に固定し得ることを特徴としている。
【００１８】
本発明の第４の課題解決手段においては、本発明の第２の課題解決手段において、前記把持アーム上部と前記把持アーム下部の一方に非円形穴が設けられ、他方に非円形突起が設けられて、前記非円形穴と前記非円形突起が嵌合することで、前記把持アーム上部と前記把持アーム下部のなす角度を、少なくとも２つ以上の角度のうち任意の１つの角度に固定し得ることを特徴としている。
【００１９】
本発明の第５の課題解決手段においては、本発明の第２の課題解決手段において、前記把持アーム上部と前記把持アーム下部の一方の外縁部に沿って歯車状突起部が設けられ、他方に突起部が設けられて、前記歯車状突起部の歯のいずれかと前記突起部がかみ合うことで、前記把持アーム上部と前記把持アーム下部のなす角度を、少なくとも２つ以上の角度のうち任意の１つの角度に固定し得ることを特徴としている。
【００２０】
本発明の第６の課題解決手段においては、本発明の第２の課題解決手段において、前記把持アーム上部と前記把持アーム下部は枢軸により回転可能に固定され、前記把持アーム上部と前記把持アーム下部の当接面に前記枢軸の中心より放射状に凹凸構造が設けられ、前記把持アーム上部の前記凹凸構造と前記把持アーム下部の前期凹凸構造がかみ合うことで、前記把持アーム上部と前記把持アーム下部のなす角度を、少なくとも２つ以上の角度のうち任意の１つの角度に固定し得ることを特徴としている。
【発明の効果】
【００２１】
本発明の第１の課題解決手段では、クレーンゲーム機のキャッチャーに備えられる把持アームにおいて、把持アーム本体が、把持アーム上部及び把持アーム下部の少なくとも２部品からなり、前記把持アーム上部は、キャッチャー本体への接続方法を備え、前記把持アーム上部と前記把持アーム下部は、これらが互いになす角度を変更し得る状態で接続されている構成としたので、クレーンゲーム機のプレイフィールド内の景品載置台に載置した景品の形状や大きさに応じて把持アーム角度を設定することができ、プレイヤーの遊戯意欲を高められる。
【００２２】
また、把持アームの角度を任意に設定できることから、景品の形状や大きさにあわせた何種類もの把持アーム又は把持爪を準備する必要が無く、ゲームセンター等の娯楽施設は経費の削減が可能となる。
【００２３】
本発明の第２の課題解決手段では、本発明の第１の課題解決手段において、前記把持アーム上部と把持アーム下部は、あらかじめ定められた少なくとも２つ以上の角度のうち任意の１つの角度に固定可能である構成としたので、クレーンゲーム機のキャッチャーに備えられた２つ以上の把持アームの角度を容易に一定に設定することができ、ゲームセンター等の娯楽施設における把持アーム角度調整作業が省力化される。また、把持アームの角度はあらかじめ定められた２つ以上の角度から選択されるのであり、把持アーム相互の微妙な角度の合わせこみ作業は不要なのであるから、クレーンゲーム機のキャッチャーに把持アームを取り付けたまま把持アーム角度を調整することも容易である。
【００２４】
本発明の第３の課題解決手段では、本発明の第２の課題解決手段において前記把持アーム上部と前記把持アーム下部は枢軸により回転可能に固定され、前記把持アーム上部と前記把持アーム下部の前記枢軸中心からの距離が一定である位置に角度固定穴が設けられ、前記角度固定穴にピン状体を挿入することで、前記把持アーム上部と前記把持アーム下部のなす角度を、少なくとも２つ以上の角度のうち任意の１つの角度に固定し得る構成としているので、前記把持アーム上部及び前記把持アーム下部に設けた角度固定穴の位置の加工精度のみにより把持アーム角度が決定される。穴加工は一般に加工費用が安価であり、しかも非常に容易に高い位置精度を得られるので、非常に高精度に角度を設定できる把持アームが安価に提供できる。
【００２５】
本発明の第４の課題解決手段では、本発明の第２の課題解決手段において、前記把持アーム上部と前記把持アーム下部の一方に非円形穴が設けられ、他方に非円形突起が設けられて、前記非円形穴と前記非円形突起が嵌合することで、前記把持アーム上部と前記把持アーム下部のなす角度を、少なくとも２つ以上の角度のうち任意の１つの角度に固定し得る構成としたので、前記把持アーム上部と前記把持アーム下部の接続部が比較的大型の構造の嵌め合いによって構成されることとなり、前記接続部の強度に優れる。従って、重量の大きい大型景品の把持に適している。
【００２６】
本発明の第５の課題解決手段では、本発明の第２の課題解決手段において、前記把持アーム上部と前記把持アーム下部の一方の外縁部に沿って歯車状突起部が設けられ、他方に突起部が設けられて、前記歯車状突起部の歯のいずれかと前記突起部がかみ合うことで、前記把持アーム上部と前記把持アーム下部のなす角度を、少なくとも２つ以上の角度のうち任意の１つの角度に固定し得る構成としたので、歯車状突起と突起部がかみ合う角度で把持アームの角度を設定できる。本課題解決手段においては、その構造上非常に多くの角度設定位置を設けることが可能であり、きめ細かな角度調整を必要とする場合に特に適している。
【００２７】
本発明の第６の課題解決手段では、本発明の第２の課題解決手段において、前記把持アーム上部と前記把持アーム下部は枢軸により回転可能に固定され、前記把持アーム上部と前記把持アーム下部の当接面に前記枢軸の中心より放射状に凹凸構造が設けられ、前記把持アーム上部の前記凹凸構造と前記把持アーム下部の前期凹凸構造がかみ合うことで、前記把持アーム上部と前記把持アーム下部のなす角度を、少なくとも２つ以上の角度のうち任意の１つの角度に固定し得る構成としたので、凹凸構造が互いにかみ合う角度で把持アームの角度を設定できる。本課題解決手段においても、その構造上非常に多くの角度設定位置を設けることが可能であり、また多数の凹凸構造のかみ合いで角度を固定するために強度に優れる。さらに、把持アーム表面に凹凸構造の設けることは、通常把持アームは加工性のよい樹脂によって製作されることに鑑みれば比較的容易な加工であり、把持アームの加工コストも安価となる。
【発明を実施するための最良の形態】
【００２８】
以下、図面により本発明を詳細に説明する。
【実施例１】
【００２９】
図１において、（Ａ）は本発明の一実施例に係るクレーンゲーム機のキャッチャーに備えられる把持アームの一実施例の外観を示す正面図、（Ｂ）はその右側面図、（Ｃ）はその上面図を示す。同図中、３はキャッチャーに本把持アームを取り付ける部分であり、ねじ止め等任意の方法で取り付けることができる。１は把持アーム上部、２は把持アーム下部であり、これらは枢軸４にて回転可能に枢結されている。把持アーム下部の先端は薄く仕上げられており、景品載置台と景品の隙間に把持アーム下部を差し込み、景品を把持することが容易になっている。また、前記把持アーム上部及び前記把持アーム下部には角度固定穴５が設けられ、前記角度固定穴にピン状体６を挿入することで前記把持アーム上部及び前記把持アーム下部の角度は固定される。必要に応じて、把持アーム上部と把持アーム下部の固定を強固とするため、例えば図示しないネジ止めのような手段を併用することも出来る。
【実施例２】
【００３０】
図２は、本発明の把持アーム上部と把持アーム下部の接続部の一実施例を示す説明図である。本実施例では把持アーム上部に非円形突起８が設けられ、把持アーム下部に非円形穴７が設けられる。これらが嵌合することで、前記把持アーム上部と前記把持アーム下部の角度が固定される。また、本図の非円形突起８及び非円形穴７は正多角形形状とされているので、様々な角度で嵌合することが可能で、よって把持アームの角度を様々な角度とすることができる。また、把持アーム上部と把持アーム下部が抜け落ちることを防止するため、図示しないネジ止めのような手段を併用することが望ましい。
【００３１】
なお、非円形突起や非円形穴の形状は正多角形に限られず、要は嵌合することで一定の角度に把持アーム上部と把持アーム下部を固定できるものであればよい。従って、例えば図３に例示するような形状であってもよい。
【実施例３】
【００３２】
図４は、本発明の把持アーム上部と把持アーム下部の接続部の一実施例を示す説明図である。本実施例では把持アーム上部の外縁部に沿って歯車状突起部９が設けられ、把持アーム下部にに突起部１０が設けられて、前記歯車状突起部の歯のいずれかと前記突起部がかみ合うことで、把持アームの角度を様々な角度とすることができる。本実施例においても、把持アーム上部と把持アーム下部が抜け落ちることを防止するため、図示しないネジ止めのような手段を併用することが望ましい。
【００３３】
なお、歯車状突起部や突起部は、図示した形態に限られない。要は把持アーム上部と把持アーム下部のそれぞれに設けられた凸状構造または凹状構造が互いにかみ合うことで一定の角度に固定可能なものであればよい。従って、例えば突起部には突起がただ１つ設けられているような構造であってもかまわない。
【実施例４】
【００３４】
図５は、本発明の把持アーム上部と把持アーム下部の接続部の一実施例を示す説明図である。本実施例では把持アーム上部および把持アーム下部に突起部１０が設けられて、凹凸構造を形成している。把持アーム上部の凹凸構造と把持アーム下部の凹凸構造がかみ合うことで、把持アームの角度を様々な角度とすることができる。本実施例においても、把持アーム上部と把持アーム下部が抜け落ちることを防止するため、図示しないネジ止めのような手段を併用することが望ましく、例えば本実施例では把持アーム上部と把持アーム下部の回転軸にあたる枢軸部分をネジにて兼ねることが出来る。
【産業上の利用可能性】
【００３５】
以上のように、本発明はクレーンゲーム機のキャッチャーに備えられる把持アームとして大いに有用なものであり、クレーンゲーム機の遊戯性を向上できる他、ゲームセンター等の娯楽施設における把持アームの調整を容易に出来る、価値の高い発明である。
【図面の簡単な説明】
【００３６】
【図１】本発明に係る把持アームの一実施例を示した説明図である。
【図２】把持アーム上部と把持アーム下部の接続部の一実施例を示した説明図である。
【図３】把持アーム上部と把持アーム下部の接続部の一実施例を示した説明図である。
【図４】把持アーム上部と把持アーム下部の接続部の一実施例を示した説明図である。
【図５】把持アーム上部と把持アーム下部の接続部の一実施例を示した説明図である。
【符号の説明】
【００３７】
１              把持アーム上部
２              把持アーム下部
３              キャッチャー接続部
４              枢軸
５              角度固定穴
６              ピン状体
７              非円形穴
８              非円形突起
９              歯車状体
１０            突起部
【図１】
2006223406.tif 000003
【図２】
2006223406.tif 000004
【図３】
2006223406.tif 000005
【図４】
2006223406.tif 000006
【図５】
2006223406.tif 000007